(57)【特許請求の範囲】
【請求項１】
自然石からなる複数の石垣石を左右及び上下に並べた護岸壁であって、
上下の石垣石は、該石垣石に挿通された縦支持棒によって連結され、最下部の石垣石は、上部が該石垣石に挿通し、下部は該石垣石の下方の地中に埋設された埋設支持棒によって地中に固定され、前記埋設支持棒は先端に複数の細い小径鉄筋が取付けられた鉄筋からなっていることを特徴とする護岸壁。
【請求項２】
請求項１記載の護岸壁において、１の前記石垣石に対して２本の前記埋設支持棒が使用されていることを特徴とする護岸壁。
【請求項３】
請求項２記載の護岸壁において、前記２本の埋設支持棒は、下方に向けて拡幅して地中に配置されていることを特徴とする護岸壁。
【請求項４】
請求項１〜３のいずれか１項に記載の護岸壁において、前記石垣石は、採石場から切り出された自然石であって、その重量が０．３〜２トン程度あり、前記埋設支持棒の直径は４０〜６０ｍｍあって、地中に少なくとも１．５〜２ｍは埋め込まれていることを特徴とする護岸壁。
【発明の詳細な説明】
【０００１】
【発明の属する技術分野】
本発明は、河川工事や石垣工事等で複数の石垣石（自然石、採石場から切り出された石、自然石をスライスした石を含む）を左右及び上下に複数段並べて構築した護岸壁に関する。
【０００２】
【従来の技術】
従来、河川工事、石垣工事、堤防工事、港湾工事等で護岸壁を構築する場合には、壁を形成するために複数の自然石からなる石垣石を左右方向に並べると共に、上下方向には垂直より傾斜させて並べて構築して、法面を持つようにしている。また、隣接する石垣石の隙間には、護岸壁の強度を確保するためにセメントを、また水の汚染を考慮した場合には、セメントではなく、小さな石を目地として充填している。
【０００３】
【発明が解決しようとする課題】
しかしながら、従来の護岸壁においては、上下方向に傾斜させて並べて構築して法面を有するため、スペースを有効に利用できないと共に、護岸壁をコンパクトに形成できないという問題があった。
また、石垣石の隙間には小さな石又はセメントを目地として充填するために、草木を成育させることができないと共に、護岸壁を構築する作業性が悪く、かつ作業コストがかかるという問題もあった。
本発明はかかる事情に鑑みてなされたもので、スペースを有効に利用でき、草木を成育させることができると共に作業性の良好な護岸壁を提供することを目的とする。
【０００４】
【課題を解決するための手段】
前記目的に沿う第１の発明に係る護岸壁は、自然石からなる複数の石垣石を左右及び上下に並べた護岸壁であって、上下の石垣石は、該石垣石に挿通された縦支持棒によって連結され、最下部の石垣石は、上部が該石垣石に挿通し、下部は該石垣石の下方の地中に埋設された埋設支持棒によって地中に固定され、前記埋設支持棒は先端に複数の細い小径鉄筋が取付けられた鉄筋からなっている。これによって、打ち込み時に細い鉄筋が屈曲し、掛かりとなって鉄筋が地中から抜けにくい。
ここで、第１の発明に係る護岸壁において、１の前記石垣石に対して２本の前記埋設支持棒を使用することも可能である。
また、第１の発明に係る護岸壁において、前記２本の埋設支持棒は、下方に向けて拡幅して地中に配置されているのが好ましく、これによって確実に石垣石が地中に固定される。
【０００５】
そして、第１の発明において、前記石垣石は、採石場から切り出された又はスライスされた自然石であって、その重量が０．３〜２トン程度である。
また、前記埋設支持棒の直径は４０〜６０ｍｍあって、地中に少なくとも１．５〜２ｍは埋め込まれているのが好ましい。
また、以上の発明において、縦支持棒及び埋設支持棒の材質は、耐腐食処理が行われた金属棒又は耐腐食性の強化プラスチック棒を使用するのが好ましい。
【０００６】
【発明の実施の形態】
続いて、添付した図面を参照しつつ、本発明を具体化した実施の形態につき説明し、本発明の理解に供する。
ここに、図１は本発明の第１の実施の形態に係る護岸壁の下部分の正面図、図２は同護岸壁の側断面図、図３（Ａ）、（Ｂ）、（Ｃ）は埋設支持棒の部分正面図、図４は本発明の第２の実施の形態に係る護岸壁の下部分を示す正面図である。
【０００７】
図１、図２に示すように、本発明の第１の実施の形態に係る護岸壁１０は、複数の自然石からなる石垣石１１を左右方向には直線状に、また上下方向には千鳥（千鳥足）状、即ち、下部の２つの石垣石を上部の石垣石が跨ぐように、並べて実質的に垂直な壁を構成するように構築されており、石垣石１１に水平方向に斜めに埋設された横支持棒１２の控え部１３が石垣石１１の背後の地中１４によって支持されていると共に、上下方向に接する石垣石１１は縦支持棒１５によって連結され、最下部の石垣石１１は埋設支持棒１６によって下方の地中１４に固定されている。以下、これらについて詳細に説明する。
【０００８】
石垣石１１は、発破によって自然石を採石場から切り出し、石切り工場で所定の形状に加工された物を使用し、一個の重量は取扱を考慮して０．３〜２トン程度である。最下段を除く各石垣石１１の高さ中央部には、２本の横支持棒１２の先部２０が水平で異なる方向に斜めに、即ち「ハ」字状に嵌入するための挿入穴１７が石切り工場で穿設されている。縦支持棒１５又は埋設支持棒１６が嵌入するための挿入孔１８、縦支持棒１５が嵌入する挿入穴１９は、現場施工時に、上下方向に接して構築される石垣石１１に同時に現合わせにて形成される。
即ち、図１に示すように、各段の石垣石１１には正面視して、「ハ」字状の２つの貫通する挿入孔１８と、逆「ハ」字状の２つの途中位置までの挿入穴１９が形成されている。なお、最下段の石垣石１１及びその他の石垣石１１の挿入孔１８は予め工場で形成することも可能である。
【０００９】
横支持棒１２は、石垣石１１の背面側に、平面視して「ハ」字状に形成される挿入穴１７に嵌入される先部２０と、石垣石１１の後方（背後）の地中１４によって支持される控え部１３とから構成されている。横支持棒１２は耐食性を考慮して、亜鉛めっきが施されたもので、長さＬは、石垣石１１の平面幅の３〜６倍程度で、直径は２０〜６０ｍｍ程度としている。この範囲より長さが短く、直径が小さい場合、横支持棒１２が石垣石１１をしっかりと支持できず、長さが長過ぎ、直径が大き過ぎる場合は、横支持棒１２が不経済となる。なお、横支持棒１２として異形鉄筋を使用しているが、耐食性を考慮してビニールコーティングすることもできる。
縦支持棒１５は、上下方向に千鳥状に構築される石垣石１１の上下方向にて隣接する下側の石垣石１１の挿入穴１９とその軸心が一致する、上側の石垣石１１の挿入孔１８に嵌入される。縦支持棒１５も、横支持棒１２と同様、耐食性を考慮して、亜鉛めっき塗装（又はビニールコーティング）が施されたもので、長さは石垣石１１の高さの０．７〜０．９倍程度で、直径は１０〜６０ｍｍ程度としている。
【００１０】
最下部の石垣石１１に挿通される埋設支持棒１６は長さが２ｍ程度、強度及び経済性を考慮して直径が４０〜６０ｍｍ程度の亜鉛めっき処理された鉄筋からなって、先部（下端）は図３（Ａ）に示すように尖っている。なお、図３（Ｂ）に示すように、この鉄筋の先部に複数の細い小径鉄筋２１を溶接固定し、これを埋設支持棒２２として使用することもできる。この場合に、埋設支持棒２２を地中１４に打ち込むと先部の小径鉄筋２１が曲がって膨らみ、図３（Ｃ）に示すように、地中１４内での拡径ロック部材２３となる。小径鉄筋２１の大きさは１０〜２０ｍｍ直径で、１００〜２００ｍｍ程度の長さとするのが好ましい。
【００１１】
かかる構成を有する本発明の一実施の形態に係る護岸壁１０を構築する作業について説明する。
山から切り出された自然石を、石切り工場で適当に破砕又は切断して所定の形状の石垣石１１を所要数加工する。この際、石垣石１１の高さ中央部に、「ハ」字状に挿入穴１７を穿設する。また、予め所要数の横支持棒１２を所定の長さＬに製作すると共に、所要数の縦支持棒１５を所定の長さＬ0より少し（約１００ｍｍ）長めに製作しておく。
【００１２】
石垣石１１、横支持棒１２、縦支持棒１５及び埋設支持棒１６を施工現場に搬送し、図２に示すように、石垣石１１を積み重ねる前に、最下段の石垣石１１の下には水抜き用の栗石２４を敷く。栗石２４の上に最下段（第１段）の石垣石１１を左右方向に直線状に載せる。この最下段の石垣石１１には予め「ハ」字状の２本の挿通孔１８を工場で形成しておき、この中に埋設支持棒１６を入れて地中１４に打ち込む。従って、２本の埋設支持棒１６は下方に向けて拡幅して地中１４に配置される。埋設支持棒１６は地中１４には約１．５〜２ｍ程度打ち込むのが好ましいが、岩盤等がある場合には、更に短くてもよい。なお、埋設支持棒１６が石垣石１１の表面から突出する場合には、突出部分は切断する。
次に、地中１４に固定された第１段の石垣石１１の上に第２段の石垣石１１を千鳥状に積み重ねる。この状態で、先端部にドリルを装着したユンボ等により、第１段の石垣石１１と、この第１段の石垣石１１に接する第２段の石垣石１１とに同時にそれぞれ挿入穴１９と挿入孔１８とを２箇所形成する。形成された２箇所の接続する挿入穴１９と挿入孔１８に少し長めに加工された縦支持棒１５を嵌入して、挿入孔１８より上部をカッター等により切断して所要の長さＬ0の縦支持棒１５とする。
【００１３】
このようにして、第１段の石垣石１１と第２段の石垣石１１との連結が完了すると、次いで第２段の石垣石１１の上に第３段の石垣石１１を千鳥状に積み重ねて、前記と同様に第２段の石垣石１１と第３段の石垣石１１に挿入穴１９と挿入孔１８を同時加工して縦支持棒１５によって第２段の石垣石１１と第３段の石垣石１１との連結を行なう。最終段（第４段）の石垣石１１も同じ要領で施工する。また、最下段を除く全ての石垣石１１に横支持棒１２の先部２０を嵌入し、図２に示すように、水抜き用の栗石２４を石垣石１１の背面側に所定の厚みとなるようにしながら盛土にて埋め立てをして、横支持棒１２の控え部１３が地中１４によって支持されるように施工して護岸壁１０を構築する作業を終了する。なお、ドリルにより石垣石１１に挿入穴１９と挿入孔１８を同時加工する場合、ドリルの位置及びドリルの傾きは石垣石１１の積み重ね状況に応じて適宜決定するようにしている。
【００１４】
従って、本発明の一実施の形態に係る護岸壁１０においては、横支持棒１２によって、積み重ねられた石垣石１１を実質的に垂直に支持することができるので、法面を不用とすることができ、これによってスペースを有効に利用できると共に、護岸壁１０をコンパクトに形成できる。また、２本の縦支持棒１５や埋設支持棒１６の傾斜方向を反対に向けて配置しているので、上下方向に石垣石１１を強固に固定できる。隣接する石垣石１１の隙間には従来のような小さな石やセメントを目地として充填する必要がないので、作業性が向上すると共に、製作コストを削減することができる。また、セメントを使用しなくて済むので、水を汚染することがなく環境保護の点で好ましい。さらに、石垣石１１の隙間には草木を成育させることができるので、護岸壁１０の景観を向上できる。
なお、図２に示すように、最下段の石垣石１１に挿入穴１７ａを設けて上側の石垣石１１と同様に横支持棒１２ａを配置することも可能であり、これによって更に強固な護岸壁となる。
【００１５】
図４は本発明の第２の実施の形態に係る護岸壁３０の下部分の正面図を示す。護岸壁１０と同一の構成要素には同一の符号を付して詳しい説明を省略する。
護岸壁３０が護岸壁１０と異なる点は、最下部の石垣石１１をコンクリート３１を用いて固定している点である。コンクリート３１の下部には栗石３２を配置するのが好ましい。従って、最下部の石垣石１１には上下に貫通する挿通孔が設けられていない。
このように、最下部の石垣石１１をコンクリート３１によって確りと地中１４に固定することによって、護岸壁３０の強度が向上する。
【００１６】
本実施の形態においては、複数段の石垣石を上下方向に千鳥状に配置しているが、これに限定されない。また横支持棒を１つの石垣石に対して２本、また縦支持棒を接する上下１組みの石垣石に対して２本としたが、これに限定されず１本又は３本以上とすることもできる。
本実施の形態においては、横支持棒、縦支持棒及び埋設支持棒を亜鉛めっきが施された金属棒としたが、耐腐食処理が行われた金属棒又は耐腐食性の強化プラスチック棒、炭素繊維やガラス繊維等の強化繊維分を含む強化プラスチック棒、十分な強度を有するプラスチック、ステンレス材等を使用することもできる。
また、横支持棒の中間位置には団子状のループ部を設けることも可能であるが、その基部を鉤状に屈曲してさらに横支持棒の引抜きを抑制することもできる。
さらに、石垣石を実質的に垂直に積み重ねたが、必要に応じて傾斜させて法面を持たせることもできる。
そして、前記実施の形態において、横支持棒及び縦支持棒の石垣石に嵌入する部分は、ストレートであったが、コンクリートに使用するアンカーボルトと同様に挿入穴内に横支持棒又は縦支持棒を打ち込むとその先部が拡径するように構成することも可能であり、これによってより強固に護岸壁を構築できる。
【００１７】
【発明の効果】
請求項１〜４記載の護岸壁においては、複数の自然石からなる石垣石を左右及び上下に並べた護岸壁であって、上下の石垣石は、該石垣石に挿通された縦支持棒によって連結され、最下部の石垣石は、上部が石垣石に挿通し、下部は石垣石の下方の地中に埋設された埋設支持棒によって地中に固定され、埋設支持棒は先端に複数の細い小径鉄筋が取付けられた鉄筋からなっているので、強法面を必要とせず、スペースを有効に利用でき、草木を育成することができ、自然石を用いて強固な石垣を構築することができる。また、埋設支持棒を地中に打ち込むことによって、埋設支持棒の先部が拡径し、地中にロック手段が形成される。
特に、請求項２記載の護岸壁においては、１の石垣石に対して２本の埋設支持棒が使用されているので、強固な基礎石を構築できる。
請求項３記載の護岸壁においては、２本の埋設支持棒は、下方に向けて拡幅して地中に配置されているので、最下部の石垣石が強固に地中に固定される。
そして、請求項４記載の護岸壁においては、石垣石は、採石場から切り出された自然石であって、その重量が０．３〜２トン程度あり、埋設支持棒の直径は４０〜６０ｍｍあって、地中に少なくとも１．５〜２ｍは埋め込まれているので、高さが高く十分強度を有する護岸壁を構築できる。
【図面の簡単な説明】
【図１】本発明の第１の実施の形態に係る護岸壁の下部分の正面図である。
【図２】同護岸壁の側断面図である。
【図３】（Ａ）、（Ｂ）、（Ｃ）は埋設支持棒の部分正面図である。
【図４】本発明の第２の実施の形態に係る護岸壁の下部分の正面図である。
【符号の説明】
１０：護岸壁、１１：石垣石、１２、１２ａ：横支持棒、１３：控え部、１４：地中、１５：縦支持棒、１６：埋設支持棒、１７、１７ａ：挿入穴、１８：挿入孔、１９：挿入穴、２０：先部、２１：小径鉄筋、２２：埋設支持棒、２３：拡径ロック部材、２４：栗石、３０：護岸壁、３１：コンクリート、３２：栗石
【図１】
0003957431.tif 000002
【図２】
0003957431.tif 000003
【図３】
0003957431.tif 000004
【図４】
0003957431.tif 000005